(57)【要約】【課題】共用部装置と住戸機との間の伝送品質を損なわずに伝送線路の配線数を低減した集合住宅用テレビ付きインターホンシステムを提供する。【解決手段】集合住宅の共用玄関に配置される共用部装置１と、集合住宅の各住戸にそれぞれ配置され共用部装置とは伝送線路を介して接続される複数台の住戸機２とが設けられる。伝送線路は、共用部装置１に接続された幹線Ｌ１と各住戸機２に接続された住戸別線Ｌ２とを含み、幹線Ｌ１と各住戸別線Ｌ２との接続部位にはそれぞれ分岐器３が介装される。幹線Ｌ１および各住戸別線Ｌ２は、制御信号を伝送する制御線Ｌｃと、音声を伝送する音声信号および音声信号よりも高周波であって映像を伝送する映像信号とを周波数多重化した信号を伝送する共用線Ｌｄとからなる。分岐器３は、映像信号を通過させる映像経路と音声信号を通過させる音声経路とを各別に備える。【選択図】        図１
2004186834.tif 000002
【特許請求の範囲】
【請求項１】
集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、映像信号を通過させる映像経路と音声信号を通過させる音声経路とを各別に備えることを特徴とする集合住宅用テレビ付きインターホンシステム。
【請求項２】
前記分岐器は、前記映像経路に分岐トランスが挿入されるとともに映像信号に対して低インピーダンスであって音声信号に対して高インピーダンスである高周波通過部が挿入され、前記音声経路には音声信号に対して低インピーダンスであって映像信号に対して高インピーダンスである低周波通過部が挿入されることを特徴とする請求項１記載の集合住宅用テレビ付きインターホンシステム。
【請求項３】
前記住戸機は、前記共用線と内部回路との接続部位であって音声信号と映像信号との少なくとも一方の伝送経路に挿入された住戸機スイッチを備え、住戸機スイッチは前記共用部装置により選択された住戸機でのみ伝送経路を閉成するように制御され非選択時には伝送経路を開放するように制御されることを特徴とする請求項１または請求項２記載の集合住宅用テレビ付きインターホンシステム。
【請求項４】
前記共用部装置は、前記共用線に直流電源を重畳する電源重畳部を備え、前記分岐器は、前記映像経路に挿入された分岐器スイッチと、前記音声経路を直流電流が通過すると分岐器スイッチを閉成し直流電流が通過しないときには分岐器スイッチを開放する電流検出手段とを備え、前記住戸機は、共用部装置による選択時に直流電源との間で音声経路に直流電流を流すループ回路を閉成するように制御され非選択時にはループ回路を開放する閉結スイッチを備えることを特徴とする請求項１または請求項２記載の集合住宅用テレビ付きインターホンシステム。
【請求項５】
集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線を複数系統に分配する分配器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分配器は、分配トランスが挿入されるとともに映像信号に対して低インピーダンスであって音声信号に対して高インピーダンスである高周波通過部が挿入された映像経路と、音声信号に対して低インピーダンスであって映像信号に対して高インピーダンスである低周波通過部が挿入された音声経路とを各別に備えることを特徴とする集合住宅用テレビ付きインターホンシステム。
【請求項６】
前記共用部装置は、前記共用線に直流電源を重畳する電源重畳部を備え、前記分配器は、前記映像経路に前記幹線の系統毎に挿入された分配器スイッチと、いずれかの幹線に対応する前記音声経路を直流電流が通過すると当該幹線に対応する分配器スイッチを閉成し直流電流が通過しないときには分配器スイッチを開放する電流検出手段とを備え、前記住戸機は、共用部装置による選択時に直流電源との間で音声経路に直流電流を流すループ回路を閉成するように制御され非選択時にはループ回路を開放する閉結スイッチを備えることを特徴とする請求項５記載の集合住宅用テレビ付きインターホンシステム。
【発明の詳細な説明】
【０００１】
【発明の属する技術分野】
本発明は、集合住宅の共用玄関に設置されカメラを備える共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用テレビ付きインターホンシステムに関するものである。
【０００２】
【従来の技術】
従来から提供されている集合住宅用のテレビ付きインターホンシステムの構成例を図６に示す。図示例では、集合住宅の共用玄関に設置される共用部装置（ロビーインターホン）１と、各住戸にそれぞれ配置される複数台の住戸機２とを備え、共用部装置１と住戸機２とが伝送線路を介して接続されている。伝送線路は、共用部装置１に接続される幹線Ｌ１と、各住戸機２にそれぞれ接続される住戸別線Ｌ２とを含み、幹線Ｌ１と各住戸別線Ｌ２との間にはそれぞれ分岐器３が介装される。さらに、図示例では幹線Ｌ１を複数系統（図では２系統）に分配するための分配器４が設けられている。
【０００３】
共用部装置１は、音声の入出力が可能な子器通話装置１１と、来訪者を撮像するＴＶカメラであるカメラ１２と、来訪者により操作される選択装置１３とを備える。また、住戸機２は、音声の入出力が可能な住戸機通話装置２１と、カメラ１２により撮像された映像を表示するモニタ２２とを備える。選択装置１３は住戸番号を指定する番号キーと呼出釦とを備え、共用部装置１において選択装置１３の操作により住戸番号を選択して呼出釦を押下すると住戸番号に対応する住戸機２を選択したことになり、選択した住戸機２と共用部装置１との間で通信路が確立する。共用部装置１との通信路が確立した住戸機２では、住戸機通話装置２１を用いて子器通話装置１１との間での通話が可能になるとともに、カメラ１２で撮像された映像をモニタ２２に表示することが可能になる。
【０００４】
伝送線路としては３対以上のペア線をシース内に備える多対ツイストペアケーブルを用いており、図示例では子器通話装置１１と住戸機通話装置２１との間で音声信号を伝送する通話線Ｌａと、カメラ１２により撮像した映像情報を含む映像信号をモニタに伝送する映像線Ｌｂと、選択装置１３により選択された住戸機２を指定する制御信号を伝送する制御線Ｌｃとにそれぞれペア線を用いている。つまり、図示例の伝送線路では３対のペア線を用いている。ここで、音声信号と映像信号と制御信号とは伝送中の信号形態が変化することがあるが、以下の説明では物理的な信号形態の変化によらず、情報内容が同じである信号を同名で呼ぶことにする。たとえば、後述するようにカメラ１２から出力された信号はＦＭ変調されるから、変調の前後では物理的な信号形態は変化するが、情報内容としてはカメラ１２で撮像した映像情報に着目しており、着目する情報内容には変化がないから、以下の説明では変調の前後の信号をいずれも映像信号と呼ぶ。音声信号および制御信号についても同様である。
【０００５】
共用部装置１において、子器通話装置１１はマイクロホン１１ａおよびスピーカ１１ｂからなり、マイクロホン１１ａとスピーカ１１ｂとはそれぞれ増幅器１４ａ，１４ｂを介して音声回路１４ｃに接続されている。音声回路１４ｃは、２個の増幅器１４ａ，１４ｂと２線の音声線Ｌａとの間に挿入するために２線４線変換回路を含んでおり、マイクロホン１１ａからの音声信号を音声線Ｌａに送出し、音声線Ｌａからの音声信号をスピーカ１１ｂ側に出力する機能を有する。また、カメラ１２から出力される映像信号は、ＦＭ変調回路１５ａにおいてＦＭ変調された後に、増幅器１５ｂおよび不平衡−平衡変換のための結合トランス１５ｃを介して映像線Ｌｂに送出される。共用部装置１には内部回路を制御するＣＰＵ１０が設けられ、ＣＰＵ１０には選択装置１３が接続されるとともに、制御線Ｌｃとの間のインタフェースとなる制御信号送受信回路１６が接続される。つまり、制御信号送受信回路１６は、ＣＰＵ１０から出力された制御信号を制御線Ｌｃに送出し、制御線Ｌｃから受信した制御信号をＣＰＵ１０に引き渡す機能を有する。共用部装置１の内部電源は、電源部１７によって商用電源（交流１００Ｖ）から生成される。
【０００６】
一方、住戸機２において、住戸機通話装置２１はマイクロホン２１ａおよびスピーカ２１ｂからなり、マイクロホン２１ａとスピーカ２１ｂとはそれぞれ増幅器２４ａ，２４ｂを介して音声回路２４ｃに接続されている。音声回路２４ｃは、２個の増幅器２４ａ，２４ｂと２線の音声線Ｌａとの間に挿入するために２線４線変換回路を含んでおり、マイクロホン２１ａからの音声信号を音声線Ｌａに送出し、音声線Ｌａからの音声信号をスピーカ２１ｂ側に出力する機能を備えている。したがって、共用部装置１と住戸機２との間で音声線Ｌａを通して音声信号を授受することができ、来訪者が共用部装置１を用いるとともに居住者が住戸機２を用いることによって、来訪者と居住者との間で音声通話が可能になる。
【０００７】
住戸機２に設けた音声回路２４ｃには、子器インタフェース２３および子器接続線Ｌ３を介してドアホン子器５が接続される。ドアホン子器５は集合住宅の各住戸の玄関先に配置されるものであってマイクロホンおよびスピーカを備え、子器インタフェース２３はドアホン子器５との通話のための音声双方向増幅回路や音声回路２４ｃを接続するための開閉路回路などを備える。したがって、ドアホン子器５と住戸機通話装置２１との間での通話が可能になっている。また、ドアホン子器５には呼出釦が設けられ、子器インタフェース２３ではドアホン子器５での呼出釦の操作時に呼出音を音声回路２４ｃに入力して、スピーカ２１ｂから送出させる機能も備える。ドアホン子器５の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００８】
住戸機２において、モニタ２２には液晶表示器あるいはＣＲＴが用いられる。映像線Ｌｂを通して住戸機２に入力される映像信号は、平衡−不平衡変換のための結合トランス２５ｃを介して増幅器２５ｂに入力され、増幅器２５ｂで増幅された後にＦＭ復調回路２５ａにおいてＦＭ復調される。ＦＭ復調回路２５ａから出力された映像信号は、モニタ２２に入力されることによってモニタ２２の画面に映像を表示する。つまり、共用部装置１のカメラ１２において撮像された来訪者の映像が住戸機２のモニタ２２に表示されるから、住戸内の居住者が来訪者を確認することができるのである。
【０００９】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源部２７によって商用電源（交流１００Ｖ）から生成される。
【００１０】
上述のようにして共用部装置１の選択装置１３により選択された住戸機２が共用部装置１との間で通信路を確立している状態は、共用部装置１または住戸機２において通話終了が検出されると終了する。つまり、共用部装置１の子器通話装置１１または住戸機２の住戸機通話装置２１にハンドセットを用いる場合にはハンドセットをオンフックすることによって通話終了を検知でき、ハンズフリーで通話する場合には適宜の操作釦を用いて通話終了を指示できる。
【００１１】
ところで、通話線Ｌａおよび制御線Ｌｃは、分岐器３においては幹線Ｌａと住戸別線Ｌ２とが直結され、分配器４においては各系統の幹線Ｌ１を直結している。したがって、共用部装置１から送出された制御信号は制御線Ｌｃに接続されるすべての住戸機２に伝送される。ここに、住戸機２のＣＰＵ２０には個別にアドレス（たとえば、住戸番号）が設定されており、共用部装置１に設けた選択装置１３によってアドレスを選択することによって、アドレスを指定する制御信号をすべての住戸機２に伝送することが可能になっている。住戸機２のＣＰＵ２０は、制御信号に含まれるアドレスが自己のアドレスであれば内部回路を作動させるように構成されており、したがって、共用部装置１と選択された住戸機２との間でのみ通話可能にすることが可能になるとともに、選択された住戸機２でのみカメラ１２で撮像された来訪者をモニタ２２に表示することが可能になる。ただし、映像線Ｌｂに関しては、分岐器３において幹線Ｌ１と住戸別線Ｌ２との間に分岐トランス３１が挿入され、分配器４において各系統の幹線Ｌ１の間に分配トランス４１が挿入される。分岐トランス４１は、幹線Ｌ１側のインピーダンスが映像線Ｌｂの特性インピーダンスより十分高く、住戸別線Ｌ２側のインピーダンスが映像線Ｌｂの特性インピーダンスに整合するように設計されている。
【００１２】
上述したように、集合住宅用のテレビ付きインターホンシステムでは、音声信号と映像信号と制御信号とを伝送線路で伝送する必要があり、音声信号と映像信号と制御信号とを各別の経路で伝送する構成が採用されている。つまり、伝送線路において、音声線Ｌａと映像線Ｌｂと制御線Ｌｃとの３対のペア線が必要であって、伝送線路として多対ツイストペアケーブルを用いるから伝送線路が硬く曲がりにくくなり、結果的に伝送線路の引き回しが難しく配線施工に手間がかかるという問題がある。また、比較的高価である多対ツイストペアケーブルを集合住宅の全体に亘って引き回す長距離の伝送線路に用いることになるから、インターホンシステムが高コストになるという問題もある。その上、共用部装置１および住戸機２において伝送線路を接続するための端子の個数が多くなるから、伝送線路の各線と端子との接続関係がわかりにくく、施工時に誤結線が生じる可能性が高くなるという問題もある。
【００１３】
一方、呼出用の制御信号および音声信号をインターホン用の伝送路を通して伝送し、映像信号は専用の伝送路を通して伝送するようにした構成も知られている（たとえば、特許文献１参照）。
【００１４】
【特許文献１】
特許第３３１１５３６号公報（第３−４頁、図２）
【００１５】
【発明が解決しようとする課題】
特許文献１に記載されたインターホンシステムでは呼出用に制御信号を用いるのみであるから、制御信号は実質的には通話中に発生することがなく、制御信号と音声信号とをインターホン用の伝送路で共用して伝送しても、制御信号が音声信号の品質を損なうことはない。
【００１６】
しかしながら、インターホンシステムを多機能化しようとすれば通話中にも制御信号が発生する可能性が生じることになり、制御信号が音声信号に干渉して音声信号の品質を損なうことも考えられる。とくに、集合住宅のように多数台の住戸機が共用部装置を共用している場合には、通話中において他の住戸機に何らかの制御信号が伝送されることもあるから、音声信号の品質の確保には音声信号と制御信号との伝送路を分離することが必要になる。つまり、特許文献１に記載された構成に対して制御信号と音声信号との伝送路を分離すると、結局は映像信号の伝送路と併せて結局は３対のペア線が必要になるという問題が生じる。
【００１７】
本発明は上記事由に鑑みて為されたものであり、その目的は、共用部装置と住戸機との間の伝送品質を損なうことなく伝送線路の配線数を従来構成よりも低減することによって施工作業を容易にするとともに誤結線の可能性を低減し、さらにはコストの低減も可能になる集合住宅用テレビ付きインターホンシステムを提供することにある。
【００１８】
【課題を解決するための手段】
請求項１の発明では、集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、映像信号を通過させる映像経路と音声信号を通過させる音声経路とを各別に備えることを特徴とする。
【００１９】
請求項２の発明では、請求項１の発明において、前記分岐器は、前記映像経路に分岐トランスが挿入されるとともに映像信号に対して低インピーダンスであって音声信号に対して高インピーダンスである高周波通過部が挿入され、前記音声経路に音声信号に対して低インピーダンスであって映像信号に対して高インピーダンスである低周波通過部が挿入されることを特徴とする。
【００２０】
請求項３の発明では、請求項１または請求項２の発明において、前記住戸機は、前記共用線と内部回路との接続部位であって音声信号と映像信号との少なくとも一方の伝送経路に挿入された住戸機スイッチを備え、住戸機スイッチは前記共用部装置により選択された住戸機でのみ伝送経路を閉成するように制御され非選択時には伝送経路を開放するように制御されることを特徴とする。
【００２１】
請求項４の発明では、請求項１または請求項２の発明において、前記共用部装置は、前記共用線に直流電源を重畳する電源重畳部を備え、前記分岐器は、前記映像経路に挿入された分岐器スイッチと、前記音声経路を直流電流が通過すると分岐器スイッチを閉成し直流電流が通過しないときには分岐器スイッチを開放する電流検出手段とを備え、前記住戸機は、共用部装置による選択時に直流電源との間で音声経路に直流電流を流すループ回路を閉成するように制御され非選択時にはループ回路を開放する閉結スイッチを備えることを特徴とする。
【００２２】
請求項５の発明では、集合住宅の共用玄関に配置され音声の入出力が可能な子器通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、子器通話装置との間で音声通話が可能な住戸機通話装置とを備え、伝送線路は、共用部装置に接続された幹線と各住戸機に接続された住戸別線とを含むとともに幹線を複数系統に分配する分配器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分配器は、分配トランスが挿入されるとともに映像信号に対して低インピーダンスであって音声信号に対して高インピーダンスである高周波通過部が挿入された映像経路と、音声信号に対して低インピーダンスであって映像信号に対して高インピーダンスである低周波通過部が挿入された音声経路とを各別に備えることを特徴とする。
【００２３】
請求項６の発明では、請求項５の発明において、前記共用部装置は、前記共用線に直流電源を重畳する電源重畳部を備え、前記分配器は、前記映像経路に前記幹線の系統毎に挿入された分配器スイッチと、いずれかの幹線に対応する前記音声経路を直流電流が通過すると当該幹線に対応する分配器スイッチを閉成し直流電流が通過しないときには分配器スイッチを開放する電流検出手段とを備え、前記住戸機は、共用部装置による選択時に直流電源との間で音声経路に直流電流を流すループ回路を閉成するように制御され非選択時にはループ回路を開放する閉結スイッチを備えることを特徴とする。
【００２４】
【発明の実施の形態】
従来の技術として説明したように、伝送線路のうち制御線Ｌｃは共用部装置１が相手先の住戸機２を選択するための制御信号を伝送するから、共用部装置１および住戸機２において制御線Ｌｃに接続される回路は常時動作させておくことが必要である。つまり、共用部装置１が住戸機２を選択するためのアドレスを含む制御信号は、すべての住戸機２に伝送されるから、すべての住戸機２において制御信号送受信回路２６およびＣＰＵ２０は常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。そこで、以下に説明する実施形態では、音声信号と映像信号とを多重化することによって、伝送線路に用いる線数を従来構成よりも低減した例について説明する。なお、制御信号は共用部装置１から住戸機２の呼出に用いるだけではなく、たとえば住戸機２からカメラ１２の向きなどを調節するために制御信号を用いることも可能である。ここで、制御信号は時分割多重技術を用いて伝送してもよい。この種の制御信号にはベースバンド信号を用いることになり、ベースバンド信号は周波数帯域が広く、音声信号や映像信号との分離が困難であるから、このことからも音声信号および映像信号と制御信号とを各別に伝送することが伝送品質の点から必要になる。
【００２５】
（実施形態１）
本実施形態は、図１に示すように、共用部装置１と住戸機２とを２対のペア線からなる伝送線路を介して接続したものである。伝送線路は、従来構成と同様に共用部装置１に接続される幹線Ｌ１と、住戸機２に接続される住戸別線Ｌ２とからなり、幹線Ｌ１と住戸別線Ｌ２との間には分岐器３が挿入される。なお、図示例では分配器４を設けていないが、分配器４を設けることも可能である。図１を見ればわかるように、本実施形態の基本的な構成は図６に示した従来構成と同様であって、図１において図６に示した従来構成と同機能の構成には同符号を付してある。
【００２６】
本実施形態と従来構成との主な相違点は、図６に示した従来構成における伝送線路では音声線Ｌａと映像線Ｌｂと制御線Ｌｃとの３対のペア線を用いていたのに対して、本実施形態では共用線Ｌｄと制御線Ｌｃとの２対のペア線を用いている点である。共用線Ｌｄは音声信号と映像信号とをともに伝送するものであって、音声信号と映像信号との両方で共用線Ｌｄを用いるために、共用部装置１および住戸機２にはそれぞれ多重分離回路１９，２９を設けている。共用部装置１と住戸機２とにそれぞれ用いている多重分離回路１９，２９は同構成であって、音声回路２４ｃと共用線Ｌｄとの間に挿入される低周波通過部１９ａ，２９ａと、結合トランス１５ｃ，２５ｃと共用線Ｌｄとの間に挿入される高周波通過部１９ｂ，２９ｂとからなる。低周波通過部１９ａ，２９ａは音声信号に対して低インピーダンスであって映像信号に対して高インピーダンスのものを用い、高周波通過部１９ｂ、２９ｂは音声信号に対して高インピーダンスであって映像信号に対して低インピーダンスのものを用いる。図示例では、低周波通過部１９ａ，２９ａとしてインダクタを用い、高周波通過部１９ｂ，２９ｂとしてコンデンサを用いている。
【００２７】
ところで、従来構成において説明したように、分岐器３では映像信号の経路に分岐トランス３１を設け、映像信号に対する幹線Ｌ１側のインピーダンスを高インピーダンスとすることにより幹線Ｌ１での映像信号の減衰を抑制している。従来構成では通話線Ｌａと映像線Ｌｂ（図６参照）とが独立していたから、映像信号の経路に分岐トランス３１を挿入しても音声信号に影響はなかった。しかしながら、本実施形態では音声信号と映像信号とが共用線Ｌｄを共用しており、共用線Ｌｄに分岐トランス３１を挿入して音声信号も分岐トランス３１を通過するようにすると、分岐トランス３１によって音声信号が減衰することになる。そこで、分岐器３に設けた分岐トランス３１の前後に高周波通過部３２，３３を設けて分岐トランス３１には映像信号のみが通過するようにし、音声信号は分岐トランス３１を通る映像経路とは別に低周波通過部３４を挿入した音声経路を通るように構成してある。高周波通過部３２，３３は映像信号に対して低インピーダンスかつ音声信号に対して高インピーダンスであるものを用い、図示例ではコンデンサを用いている。また、低周波通過部３４は音声信号に対して低インピーダンスかつ映像信号に対して高インピーダンスのものを用い、図示例ではインダクタを用いている。
【００２８】
本実施形態の動作は基本的には従来構成と同様であって、音声信号と映像信号とがともに共用線Ｌｄを用いて伝送され、分岐器３では音声信号と映像信号とが別経路である音声経路と映像経路とに一旦分離された後に合成される点が従来構成との主な相違点である。
【００２９】
上述した構成によって、音声信号と映像信号が共用線Ｌｄを共用しながらも、周波数多重化の技術を用いて多重化されているから共用部装置１および住戸機２において音声信号と映像信号とを多重化するとともに分離することができ、しかも上記構成の分岐器３を用いることによって分岐トランス３１を用いて映像信号に対する分岐器３の特性を確保しながらも、音声信号を減衰させることなく通過させることが可能になるのである。その結果、１対のペア線である共用線Ｌｄを用いて音声信号と映像信号とをともに伝送することができ、従来構成に比較すると１対のペア線が不要になり、２対のペア線をシースに収納したケーブルを伝送線路として用いることが可能になるのである。言い換えると、３対以上のペア線をシース内に収納した多対ツイストペアケーブルを用いる場合に比較すると柔らかいケーブルを用いることが可能になるから、伝送線路の引き回し作業が容易になり、しかも２対のペア線をシースに収納したケーブルは、３対以上のペア線をシースに収納したケーブルよりも安価であるから、コストの低減につながる。さらには、共用部装置１および住戸機２において伝送線路と接続するための端子数が従来構成よりも少なくなるから、誤結線の可能性を低減することが可能になる。
【００３０】
（実施形態２）
本実施形態は、図２に示すように、実施形態１の構成に対して住戸機２における多重分離回路２９の低周波通過部２９ａと共用線Ｌｄとの間に住戸機スイッチ２９ｃを挿入したものである。住戸機スイッチ２９ｃは、ＣＰＵ２０により制御され、常時はオフであって低周波通過部２９ａを共用線Ｌｄから分離しているが、共用部装置１の選択装置１３により選択されるとオンになり共用部装置１との通話が終了するまでの間は低周波通過部２９ａを共用線Ｌｄに接続する。したがって、共用部装置１での操作により特定の住戸番号の住戸機２が選択されると、選択された住戸機２のみが共用線Ｌｄとの間で音声信号を授受することができ、他の住戸機２では住戸機スイッチ２９ｃがオフであるので、音声信号に対する分岐トランス３１の幹線側Ｌ１のインピーダンスが高くなる。つまり、音声信号の周波数帯域における幹線Ｌ１のインピーダンス低下が抑制され、音声信号の減衰が少なくなる。
【００３１】
図２に示す例では、多重分離回路２９において低周波通過部２９ａと共用線Ｌｄとの間に住戸機スイッチ２９ｃを挿入しているが、住戸機スイッチ２９ｃを低周波通過部２９ａおよび高周波通過部２９ｂと共用線Ｌｄとの間に挿入することによっても、選択されていない住戸機２では住戸別線Ｌ２が音声回路２４ｃに接続されないから、図２に示す構成と同様に音声信号に対して住戸別線Ｌ２のインピーダンスを高インピーダンスに保つことができる。他の構成および動作は実施形態１と同様である。
【００３２】
（実施形態３）
本実施形態は、図３に示すように、実施形態１の構成に対して、住戸機２の多重分離回路２９における低周波通過部２９ａおよび高周波通過部２９ｂと共用線Ｌｄとの間に閉結スイッチ２９ｄを挿入してある。また、閉結スイッチ２９ｄの一端には抵抗Ｒが直列接続され、閉結スイッチ２９ｄと抵抗Ｒとの直列回路は、直流的には共用線Ｌｄを介して共用部装置１に設けた電源部１７の出力端間に接続される。
【００３３】
分岐器３の映像経路において分岐トランス３１と各高周波通過部３２，３３との間には分岐器スイッチ３５，３６を挿入してあり、音声経路に低周波通過部３４とともに挿入した電流検出手段としてのリレーコイル３７によって分岐器スイッチ３５，３６を制御する。つまり、分岐器スイッチ３５，３６はリレーの接点であって、リレーコイル３７に直流電流が流れるとオンになる。また、分岐器３に設けたリレーコイル３７への電源は、共用部装置１から供給する構成を採用しており、共用部装置１の電源部１７から出力された直流電源を電源重畳部１８を介して共用線Ｌｄに重畳することにより分岐器３に流すようにしてある。
【００３４】
ここに、住戸機２において映像信号の経路にはコンデンサを用いた高周波通過部２９ｂおよび結合トランス２５ｃが存在するから、共用線Ｌｄに印加された直流電源が映像信号を処理する回路に印加されることがないが、音声信号の経路にインダクタを用いた低周波通過部２９ａを挿入するだけでは、音声回路２４ｃに直流電圧が印加されることになって不都合である。そこで、音声回路２４ｃと低周波通過部２９ａとの間には直流カット用のコンデンサＣを挿入してある。
【００３５】
本実施形態の構成では、閉結スイッチ２９ｄおよび分岐器スイッチ３５，３６は常時はオフであって、共用部装置１の選択装置１３により選択された住戸機２では閉結スイッチ２９ｄをオンにする。閉結スイッチ２９ｄがオンになれば、電源重畳部１８との間でループ回路が閉成されるから、当該住戸機２では共用部装置１との間で音声信号の伝送が可能になって通話できるようになるとともに、当該住戸機２に対応する住戸別線Ｌ２に接続された分岐器３において共用部装置１の電源部１７からリレーコイル３７に直流電流が流れて分岐器スイッチ３５，３６がオンになる。分岐器スイッチ３５，３６がオンになれば、分岐トランス３１が共用線Ｌｄに接続されて映像信号が分岐器３を通過できるようになり、結果的に共用部装置１のカメラ１２で撮像された来訪者を当該住戸機２のモニタ２２に表示することが可能になる。
【００３６】
本実施形態の構成では、共用部装置１の選択装置１３により選択されていない住戸機２では音声信号と映像信号とに関わる回路が閉結スイッチ２９ｄによって共用線Ｌｄから分離され、さらに分岐器３においても、分岐トランス３１の前後に分岐器スイッチ３５，３６をそれぞれ挿入しているから、分岐器スイッチ３５，３６をオフにしておけば分岐トランス３１によって映像信号のループ経路が形成されることがなく、分岐トランス３１が共用線Ｌｄから分離されることにより、音声信号および映像信号の両方について伝送線路での減衰を低減することができる。他の構成および動作は実施形態２と同様である。
【００３７】
（実施形態４）
本実施形態は、図４に示すように、図１に示した実施形態１の構成に分配器４を付加したものである。分配器４は幹線Ｌ１を２系統に分配する分配トランス４１を備え、分配トランス４１には１次側と各系統に分配する２次側とにそれぞれ映像信号に対して低インピーダンスかつ音声信号に対して高インピーダンスとなる高周波通過部４２，４３ａ，４３ｂが接続される。分配器４には、分配トランス４１および高周波通過部４２，４３ａ，４３ｂを通る映像経路とは別に、高周波通過部４２，４３ａ，４３ｂを通らずに１次側と各２次側とを結合する２個の音声経路も設けられる。さらに、各音声経路にはそれぞれ音声信号に対して低インピーダンスであって映像信号に対して高インピーダンスとなる低周波通過部４４ａ，４４ｂが挿入される。図示例において、高周波通過部４２，４３ａ，４３ｂにはコンデンサを用い、低周波通過部４４ａ，４４ｂにはインダクタを用いている。
【００３８】
このような分配器４を設けることによって、映像信号に対応するように設計されている分配トランス４１を含む映像経路とは別経路である音声経路を音声信号が通過するから、映像信号と音声信号とをともに減衰させることなく２系統に分配することが可能になる。本実施形態は、分配器４を設けた点を除くと図１に示した実施形態１と同様の構成であって同様に動作する。
【００３９】
（実施形態５）
本実施形態では、図５に示すように、共用部装置１に電源部１７から出力された直流電源を共用線Ｌｄに重畳するための電源重畳部１８を設けてある。また、住戸機２には、多重分離回路２９の低周波通過部２９ａと共用線Ｌｄとの間に閉結スイッチ２９ｅを挿入し、さらに閉結スイッチ２９ｅに抵抗Ｒ１を直列接続するとともに、閉結スイッチ２９ｅと抵抗Ｒ１との直列回路を共用線Ｌｄを構成する１対のペア線の線間に接続してある。低周波通過部２９ａと音声回路２４ｃとの間には直流カット用のコンデンサＣ１が接続される。
【００４０】
本実施形態の分配器４には、分配トランス４１の１次側と２次側とにおいて、分配トランス４１と各高周波通過部４２，４３ａ，４３ｂとの間にそれぞれ分配器スイッチ４５ａ，４５ｂ，４６ａ，４６ｂを挿入してあり、さらに各音声経路にそれぞれ電流検出手段としてのリレーコイル４７ａ，４７ｂを挿入してある。分配器スイッチ４５ａ，４６ａは、リレーコイル４７ａに対応するリレー接点であって、リレーコイル４７ａに直流電流が流れるとオンになる。また、分配器スイッチ４５ｂ，４６ｂは、リレーコイル４７ｂに対応するリレー接点であって、リレーコイル４７ｂに直流電流が流れるとオンになる。分配トランス４１の１次側に設けたスイッチ４６ａ、４６ｂは並列接続され、いずれか一方がオンになると高周波通過部４２を分配トランス４１に接続する。また、分配トランス４１の２次側に設けた分配器スイッチ４５ａ、４５ｂは各系統の高周波通過部４３ａ，４３ｂと分配トランス４１との間に接続され、いずれか一方が択一的にオンになる。
【００４１】
このような構成の分配器４を用いると、共用部装置１の選択装置１３によって特定の住戸機２が選択されたときに、当該住戸機２ではＣＰＵ２０が閉結スイッチ２９ｅをオンにするのであって、住戸機２において閉結スイッチ２９ｅがオンになると、電源部１７と抵抗Ｒ１とが直流的に接続され電源重畳部１８との間に直流電流を通過させるループ回路が形成されるから、当該住戸機２に接続された系統の幹線Ｌ１においてリレーコイル４７ａ，４７ｂに直流電流が通過することになる。その結果、直流電流が通過するリレーコイル４７ａ，４７ｂに対応する系統において分配器スイッチ４５ａ，４５ｂ，４６ａ，４６ｂがオンになり、リレーコイル４７ａ，４７ｂに直流電流が流れていない系統の分配器スイッチ４５ａ，４５ｂ，４６ａ，４６ｂはオフに保たれる。その結果、共用部装置１が選択した住戸機２を含む系統の幹線Ｌ１のみで音声信号および映像信号が伝送されるのであって、分配トランス４１が接続されることによる伝送線路のインピーダンスの低下を抑制することができ、音声信号の減衰を少なくすることができる。他の構成および動作は実施形態１と同様である。
【００４２】
なお、住戸機２の構成として図３に示した実施形態３と同構成のものを用いることも可能である。
【００４３】
上述した実施形態のうち実施形態３では分岐器３にリレーコイル３７を設けてリレー接点としての分岐器スイッチ３５，３６をオンオフさせ、また実施形態５では分配器４にリレーコイル４７ａ，４７ｂを設けてリレー接点としての分配器スイッチ４５ａ，４５ｂ，４６ａ，４６ｂをオンオフさせているが、リレーコイル３７，４７ａ，４７ｂに代えて他の電流検出手段を設けることにより音声経路における電流の通過を検出し、分岐器スイッチ３５，３６，４５ａ，４５ｂ，４６ａ，４６ｂとして電子式のスイッチを用いることにより電流検出手段での検出結果に応じて分岐器スイッチ３５，３６，４５ａ，４５ｂ，４６ａ，４６ｂをオンオフさせるようにしてもよい。また、分岐トランス３１に代えて増幅回路を用い、分配トランス４１に代えて１入力−複数出力の増幅回路を用いることも可能である。
【００４４】
【発明の効果】
請求項１の発明は上述のように、伝送線路が共用部装置に接続された幹線と各住戸機に接続された住戸別線とを含むとともに幹線と各住戸別線との接続部位にそれぞれ介装された複数台の分岐器を有し、幹線および各住戸別線は、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分岐器は、映像信号を通過させる映像経路と音声信号を通過させる音声経路とを各別に備えるので、制御線と共用線との２組の線路のみとして配線数を低減しながらも、映像信号および音声信号を伝送する共用線と制御信号を伝送する制御線とを分離したことによって、映像信号や音声信号に制御信号が干渉することがなく、結果的に映像信号および音声信号の伝送品質を損なうことなく配線数を従来構成よりも低減することが可能になる。このことによって、比較的柔らかいケーブルを用いることができて施工作業が容易になる上に、結線作業を要する箇所が少なくなって誤結線の可能性を低減させることができ、さらにはコストの低減にもつながる。
【００４５】
請求項２の発明は、請求項１の発明において、分岐器の映像経路に分岐トランスが挿入されるとともに映像信号に対して低インピーダンスであって音声信号に対して高インピーダンスである高周波通過部が挿入され、分岐器の音声経路に音声信号に対して低インピーダンスであって映像信号に対して高インピーダンスである低周波通過部が挿入されているので、分岐器内では映像信号と音声信号とが別経路で通過することになり、分岐器が介在しているにもかかわらず、分岐器における映像信号および音声信号の劣化や損失を抑制することができる。
【００４６】
請求項３の発明では、請求項１または請求項２の発明において、住戸機が、共用線と内部回路との接続部位であって音声信号と映像信号との少なくとも一方の伝送経路に挿入された住戸機スイッチを備え、住戸機スイッチは共用部装置により選択された住戸機でのみ伝送経路を閉成するように制御され非選択時には伝送経路を開放するように制御されるものであり、共用部装置との間で通信路を確立していない住戸機では住戸機スイッチが開放されるから、共用部装置との間の通信路が確立されていない住戸機が接続されている住戸別線のインピーダンスが高くなり、共用部装置は実質的に１台の住戸機にのみ接続された形になって、幹線に接続可能な住戸機の台数を増やすことができる。
【００４７】
請求項４の発明では、請求項１または請求項２の発明において、共用部装置が、共用線に直流電源を重畳する電源重畳部を備え、分岐器が、映像経路に挿入された分岐器スイッチと、音声経路を直流電流が通過すると分岐器スイッチを閉成し直流電流が通過しないときには分岐器スイッチを開放する電流検出手段とを備え、住戸機が、共用部装置による選択時に直流電源との間で音声経路に直流電流を流すループ回路を閉成するように制御され非選択時にはループ回路を開放する閉結スイッチを備えるものであり、共用部装置との間で通信路を確立していない住戸機に対応する分岐器では分岐器スイッチが開放されるから、分岐器による伝送線路のインピーダンスの低下を抑制することができ、結果的に幹線に接続可能な分岐器の数、つまり分岐器に対応する住戸機の台数を増やすことができる。
【００４８】
請求項５の発明は、伝送線路が共用部装置に接続された幹線と各住戸機に接続された住戸別線とを含むとともに幹線を複数系統に分配する分配器を有し、幹線および各住戸別線が、少なくとも選択装置の操作に伴って発生する制御信号を伝送する制御線路と、音声を伝送する音声信号および音声信号よりも高周波であって映像を伝送する映像信号とを周波数多重化した信号を伝送する共用線とからなり、分配器が、分配トランスが挿入されるとともに映像信号に対して低インピーダンスであって音声信号に対して高インピーダンスである高周波通過部が挿入された映像経路と、音声信号に対して低インピーダンスであって映像信号に対して高インピーダンスである低周波通過部が挿入された音声経路とを各別に備えるので、制御線と共用線との２組の線路のみとして配線数を低減しながらも、映像信号および音声信号を伝送する共用線と制御信号を伝送する制御線とを分離したことによって、映像信号や音声信号に制御信号が干渉することがなく、結果的に映像信号および音声信号の伝送品質を損なうことなく配線数を従来構成よりも低減することが可能になる。このことによって、比較的柔らかいケーブルを用いることができて施工作業が容易になる上に、結線作業を要する箇所が少なくなって誤結線の可能性を低減させることができ、さらにはコストの低減にもつながる。さらに、分配器の映像経路に分配トランスが挿入されるとともに映像信号に対して低インピーダンスであって音声信号に対して高インピーダンスである高周波通過部が挿入され、分配器の音声経路に音声信号に対して低インピーダンスであって映像信号に対して高インピーダンスである低周波通過部が挿入されているので、分配器内では映像信号と音声信号とが別経路で通過することになり、共用線となる１組の線路で映像信号と音声信号との両方を伝送することができる。
【００４９】
請求項６の発明では、請求項５の発明において、共用部装置が共用線に直流電源を重畳する電源重畳部を備え、分配器が映像経路に幹線の系統毎に挿入された分配器スイッチと、いずれかの幹線に対応する音声経路を直流電流が通過すると当該幹線に対応する分配器スイッチを閉成し直流電流が通過しないときには分配器スイッチを開放する電流検出手段とを備え、住戸機が共用部装置による選択時に直流電源との間で音声経路に直流電流を流すループ回路を閉成するように制御され非選択時にはループ回路を開放する閉結スイッチを備えるものであり、共用部装置との間で通信路を確立していない住戸機に対応する系統の分配器スイッチが開放されるから、分配トランスによる伝送線路のインピーダンスの低下を防ぐことができ、幹線に接続可能な住戸機の台数を増やすことができる。
【図面の簡単な説明】
【図１】本発明の実施形態１を示すブロック図である。
【図２】本発明の実施形態２を示すブロック図である。
【図３】本発明の実施形態３を示すブロック図である。
【図４】本発明の実施形態４を示すブロック図である。
【図５】本発明の実施形態５を示すブロック図である。
【図６】従来例を示すブロック図である。
【符号の説明】
１  共用部装置
２  住戸機
３  分岐器
４  分配器
１１  子器通話装置
１２  カメラ
１３  選択装置
１８  電源重畳部
２１  住戸機通話装置
２２  モニタ
２９ｃ  住戸機スイッチ
２９ｄ  閉結スイッチ
２９ｅ  閉結スイッチ
３１  分岐トランス
３２，３３  高周波通過部
３４  低周波通過部
３５，３６  分岐器スイッチ
３７  リレーコイル（電流検出手段）
４１  分配トランス
４２  高周波通過部
４３ａ，４３ｂ  高周波通過部
４４ａ，４４ｂ  低周波通過部
４５ａ，４５ｂ  分配器スイッチ
４６ａ，４６ｂ  分配器スイッチ
４７ａ，４７ｂ  リレーコイル（電流検出手段）
Ｌ１  幹線
Ｌ２  住戸別線
Ｌｃ  制御線
Ｌｄ  共用線
【図１】
2004186834.tif 000003
【図２】
2004186834.tif 000004
【図３】
2004186834.tif 000005
【図４】
2004186834.tif 000006
【図５】
2004186834.tif 000007
【図６】
2004186834.tif 000008